(57)【要約】【課題】詰め替え時に注出口を内容物で閉塞させないように改良された注出口付き袋を提供することを主要な目的とする。【解決手段】本発明に係る注出口付き袋１は、上辺の肩部で斜め上方向に延びるノズル部３の先端を、切り取り線８に沿って切り取り、注出口９を形成するものである。切り取り線８のシール領域内に延びた部分８ａは、該切り取り線８の始点Ｓと終点Ｅとを結ぶ直線１５の上に形成されており、かつ切り取り線８の非シール領域における部分８ｂは、ノズル部３の先端から遠ざかる方向に凸となる形状にされている。【選択図】図１
2018008723.tif 000002
【特許請求の範囲】
【請求項１】
その外周をヒートシールしてなるノズル部の先端を、切り取り線に沿って切り取り、注出口を形成する注出口付き袋であって、
前記切り取り線の、シール領域内に延びた部分は、該切り取り線の始点と終点とを結ぶ直線上に形成されており、かつ
前記切り取り線の非シール領域における部分は、前記ノズル部の先端から遠ざかる方向に凸となる形状にされている、注出口付き袋。
【請求項２】
当該注出口付き袋を構成する前後２面の壁面フィルムは、ナイロン/接着剤層/ＬＬシール層、ＰＥＴ/ナイロン/接着剤層/ＬＬシール層、ナイロン/蒸着ＰＥＴフィルム/ＬＬシール層及びＰＥＴ／アルミ箔／ナイロン／ＬＬシール層からなる群より選ばれる積層フィルムで形成される請求項１に記載の注出口付き袋。
【発明の詳細な説明】
【技術分野】
【０００１】
本発明は一般に注出口付き袋に関するものであり、より特定的には、他の容器への詰め替え時に注出口が内容物で閉塞されないように改良された注出口付き袋に関する。
【背景技術】
【０００２】
従来、各種液体化粧品、クレンザー、洗剤、柔軟剤、エマルジョン糊、各種飲料、醤油、ソース、麺つゆなどの液体調味料のような液状物や、粉乳、ココアなどの粉体は、主に、プラスチックボトル、ガラス瓶、金属缶などの保形性のある容器に充填され、流通・使用に供され、使用後の容器は廃棄処分にされていた。しかし、そのため資源が消費され、商品に占める容器コストの割合も無視できないものがあった。そこで、廃棄物処理の問題も考慮し、これらの容器は、使用後、分別処理され、回収、リサイクルすることも進められている。このような見地から、使用後のボトルなどの容器に同一内容物を補充するために用いる詰め替えパウチが流通している。
【０００３】
従来の詰め替えパウチ１の基本的構成は、図６（Ａ）に示すように、前後２面の壁面フィルム１ａ、１ｂを備え、これらの側部と上部と下部をシールしてなる。図中、斜めのハッチングで示した部分がシール領域２である。詰め替えパウチ１の上辺の肩部に、斜め上方向に延びる、その外周をヒートシールしてなるノズル部３が設けられている。詰め替えパウチ１は、壁面フィルム１ａ、１ｂの下部の間に、底面フィルム４を内側に向けて折り返し、底面フィルム折り返し部５まで挿入してなるガゼット６を有する。底面フィルム４を広げると、図６（Ｂ）に示すように自立する。
【０００４】
内容物を他の容器に移し替える際には、詰め替えパウチ１の指つまみ部７を指でつまんで、切り取り線８を、注出口９の先端の一方の側から他方の側へ切り裂いて注出口９を開封する。次に、ノズル部３の注出口９を、たとえばネジ口容器のネジ口にあてがって、そのまま傾けて、内容物を移動させて移し替える。
【０００５】
しかし、ノズル部３の注出口９が直線状に形成されていたので、少し粘度の高い内容物１１を移し替える場合には、ノズル部３が膨らむと同時に、注出口９を閉塞させる方向に内容物１１の表面張力が作用してノズル部３の内面を密着させ、内容物１１の取り出しを困難にするという問題があった。特許文献１は、これを防ぐために、ノズル部３の注出口９の形状を中央に向かって凸となるＶ字状にする、あるいはＶ字の角に丸みを持たせた湾
曲形状にすることを提案している。
【先行技術文献】
【特許文献】
【０００６】
【特許文献１】特開２００６−８９０９８号
【発明の概要】
【発明が解決しようとする課題】
【０００７】
特許文献１に提案された、単にノズル部の注出口の形状を中央に向かって凸となるＶ字
状(角に丸みを持たせることも含む)に形成する方法では、注出口を形成するための切り取り線が切れにくい、あるいは切り取り線を切り裂く際に袋本体まで中央に向かって切り裂かれてしまうなどの課題があった。
【０００８】
本発明は、上記のような課題を解決するためになされたもので、切り取りやすく、かつ注出口を内容物で閉塞させないように改良された注出口付き袋を提供することを目的とする。
【課題を解決するための手段】
【０００９】
本発明は、その外周をヒートシールしてなるノズル部の先端を、切り取り線に沿って切り取り、注出口を形成する注出口付き袋に係る。上記切り取り線のシール領域内に延びた部分（以下切り取り線シール領域部分という）は、該切り取り線の始点と終点とを結ぶ直線上に形成されており、かつ上記切り取り線の非シール領域における部分（以下切り取り線非シール領域部分という）は、上記ノズル部の上記先端から遠ざかる方向に凸となる形状（例えば湾曲）にされている。
【００１０】
上記切り取り線非シール領域部分が、該ノズル部の先端から遠ざかる方向に凸となる形状になっているので、開封後、表面張力が作用する部分の面積が少なくなり、そのため、詰め替えの際に、表面張力による内面を密着させる力（注出口を閉塞させる方向に内容物の表面張力が作用してノズル部の内面を密着させるという力）が減少し、ひいてはノズル部の断面積は狭まらない。
【００１１】
注出口付き袋を構成するフィルムは、主にプラスチックを主体とする積層フィルムを用いるが、特に限定はされず、液状などの内容物の包装用袋に用いられている公知の積層フィルムは、いずれも使用することができ、充填する内容物の種類や充填後の加熱処理の有無など、使用条件に応じて適する材料を自由に選択して使用することができる。
【００１２】
本発明の好ましい実施態様によれば、上記２面の壁面フィルムは、ナイロン/接着剤層/ＬＬ（linear low density polyethylene）シール層、ＰＥＴ（ポリエチレンテレフタレート）/ナイロン/接着剤層/ＬＬシール層、ナイロン/蒸着ＰＥＴフィルム/ＬＬシール層及びＰＥＴ／アルミ箔／ナイロン／ＬＬシール層からなる群より選ばれる積層フィルムで形成される。蒸着ＰＥＴフィルムとは、アルミニウムを高真空状態で気化させ、その蒸気をＰＥＴフィルム表面に付着させたものをいう。
【００１３】
上記袋は、自立性を有する形式に形成されていてもよい。例えば、スタンディングパウチや、フラットボトムタイプのガゼット袋が例示される。
【発明の効果】
【００１４】
本発明によれば、詰め替え時に内容物で注出口が閉塞されない。また、指つまみ部を切り取り線に沿って滑らかに切り取ることができる。
【図面の簡単な説明】
【００１５】
【図１】（Ａ）は本発明の実施例１に係る注出口付き袋の正面図であり、（Ｂ）は、注出口部分の拡大図である。
【図２】（Ａ）は本発明の作用効果を説明する第１の図であり、（Ｂ）は本発明の作用効果を説明する第２の図である。
【図３】本発明の作用効果を説明する第３の図である。
【図４】（Ａ）〜（Ｆ）は、本発明の実用性の高い種々の変形例（実施例２）に係る注出口付き袋の、注出口部分の拡大図である。
【図５】（Ａ）は実施例３に係る注出口付き袋の、注出口部分の拡大図、（Ｂ）は比較例１に係る注出口付き袋の、注出口部分の拡大図である。
【図６】（Ａ）は、従来の注出口付き袋の正面図であり、（Ｂ）はガゼット部を開いて自立させた時の正面図である。
【発明を実施するための最良の形態】
【００１６】
切り取りやすく、かつ注出口を内容物で閉塞させないように改良された注出口付き袋を得るという目的を、切り取り線の位置と形状を選ぶことによって実現した。以下、この発明の実施例を、図を用いて説明する。各図において同一又は相当する部分には同一の参照番号を付し、その説明を繰り返さない。
【実施例１】
【００１７】
図１（Ａ）を参照して、注出口付き袋１は、前後２面の壁面フィルム１ａ、１ｂを備え、これらの側部と上部と下部をシールしてなる。図中、斜めのハッチングで示した部分がシール領域２である。詰め替えパウチ１の上辺の肩部に、斜め上方向に延びる、その外周をヒートシールしてなるノズル部３が設けられている。壁面フィルム１ａ、１ｂの下部の間に、底面フィルム４を内側に向けて折り返し、底面フィルム折り返し部５まで挿入してなるガゼット６を有する。注出口付き袋１は、ノズル部３の先端を、切り取り線８に沿って切り取り、注出口９を形成し、内容物を取り出す。
【００１８】
図１（Ｂ）に示す拡大図を参照して、切り取り線８のヒートシールされた領域２内に延びた部分（切り取り線シール領域部分）８ａは、切り取り線８の始点Ｓと終点Ｅとを結ぶ直線１５の上に形成されている。切り取り線８の非シール領域における部分（切り取り線非シール領域部分）８ｂは、ノズル部３の先端から遠ざかる方向に凸となる形状にされている。
【００１９】
切り取り線８は、表側及び裏側に同様に形成されている。
【００２０】
切り取り線８は、例えば、光学反射式のレーザーマーカーを使用して、フィルムの表面に溝加工を施すことで形成される。
【００２１】
２面の壁面フィルム１ａ、１ｂの樹脂構成は、ナイロン（１５μｍ）/接着剤層/ＬＬシール層（１２０μｍ）、ＰＥＴ（１２μｍ）/ナイロン（１５μｍ）/接着剤層/ＬＬシール層（１２０μｍ）、ナイロン（１５μｍ）/蒸着ＰＥＴフィルム（１２μｍ）/ＬＬシール層（１２０μｍ）又はＰＥＴ（１２μｍ）／アルミ箔（７μｍ）／ナイロン（１５μｍ）／ＬＬシール層（１００μｍ）である。
【００２２】
次に、作用効果について説明する。
【００２３】
図２（Ａ）を参照して、切り取り線シール領域部分８ａは、切り取り線８の始点Ｓと終点Ｅとを結ぶ直線１５の上に形成されているので、切り取り線シール領域部分８ａでは、その切れていく力の方向は、直線１５に沿う矢印Ｍの方向であり、これに図のように湾曲する方向Ｎの力が加わって、切り取り線非シール領域部分８ｂが切れていく。直線１５に沿う矢印Ｍの方向に切れていく初期の力は強く、これに引きつられて、湾曲部分である切り取り線非シール領域部分８ｂが切れていくので、指つまみ部７を切り取り線８に沿って滑らかに切り取ることができる。
【００２４】
また、図１（Ｂ）と図２（Ｂ）を参照して、切り取り線８が、基部１３側に凸状に湾曲する曲線を含んでいると、開封後、注出口９において、表面張力が作用する部分が、削られた分（Δ）少なくなるために、表面張力による内面を密着させる力（注出口９を閉塞させる方向に内容物１１の表面張力が作用してノズル部３の内面を密着させるという力）が減少し、ひいてはノズル部３の断面積は狭まらない。ひいては、図３に示すように、詰め替え時に内容物１１で注出口９が閉塞されない。その結果、内容物１１の円滑な移し替えが可能となる。上記Δは、５ｍｍ〜１５ｍｍの範囲が好ましい。
【実施例２】
【００２５】
図４は、本発明の実用性の高い種々の変形例を示した図である。いずれの場合も、切り取り線シール領域部分８ａを、切り取り線８の始点Ｓと終点Ｅとを結ぶ直線１５の上に形成しており、かつ切り取り線非シール領域部分８ｂを、ノズル部３の先端から遠ざかる方向に凸となる形状にしている点は共通している。しかし、切り取り線非シール領域部分８ｂの極大点８ｍは、ノズル部３の中心線１２の上にある場合だけでなく、ノズル部３の幅方向の何処の位置にあってもよい。また、切り取り線非シール領域部分８ｂの極大点８ｍは、上記幅方向と直交する線の何処の位置にあってもよい。図４を用いて詳しく説明する。
【００２６】
切り取り線８の、基部１３側に凸となる形状は、ノズル部の中心線１２に対して左右対称でなくてもよく、図４（Ａ）に示すように、その極大点８ｍが一方の側の偏っていてもよく、図４（Ｃ）に示すように他方の側に偏っていてもよく、図４（Ｂ）に示すように、ノズル部の中心線１２上にあってもよい。
【００２７】
切り取り線８の形状は、図４（Ａ）、（Ｂ）、（Ｃ）に示すように角が丸みのあるＶ字形状（角の両側が直線）であってもよく、図４（Ｄ）、（Ｅ）、（Ｆ）に示すように湾曲する曲線であってもよい。
【００２８】
切り取り線非シール領域部分８ｂの極大点８ｍは、ノズル部３の幅方向と直交する線の何処の位置にあってもよい。つまり、切り取り線８の、基部１３側に凸状に湾曲する曲線部分の湾曲の程度は、深く形成してもよいし、浅く形成してもよい。浅い方が、切り取りやすくなる。
【実施例３】
【００２９】
図５（Ａ）は、本発明のさらなる変形例に係る。図５（Ａ）に示すように、切り取り線シール領域部分８ａを、切り取り線８の始点Ｓと終点Ｅとを結ぶ直線１５の上に形成しており、かつ切り取り線非シール領域部分８ｂは、ノズル部３の先端から遠ざかる方向に凸となる形状にされている。本実施例では、さらに、立体加工線１６が設けられる。立体加工線１６を設けると、詰め替え時に内容物１１で注出口９が閉塞されない効果がさらに高まる。
【００３０】
（比較例１）
図５（Ｂ）に示すように、切り取り線シール領域部分８ａを、切り取り線８の始点Ｓと終点Ｅとを結ぶ直線１５の上に形成しないで、すなわち、切り取り線シール領域部分８ａを、切り取り線シール領域部分８ｂの湾曲線の延長線上、つまり、ノズル部３の先端部に向かって伸びるように形成すると、切り始める際にかかる強い力によって、切り取り線が一気に切れてしまう。そのために、切り取り線が湾曲に沿って切れずに、湾曲の極大点を越えてまっすぐ切れてしまう。立体加工線１６を設けても、同様であった。
【００３１】
得られた詰め替えパウチは、台所用洗剤、お風呂の洗剤、ハンドソープ、ボディソープ、シャンプー、リンス、コンディショナーなどに利用することができる。
【００３２】
上記実施例では注出口付き袋の例として詰め替えパウチを例示したが、この発明はこれに限られるものではない。
【００３３】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３４】
本発明に係る注出口付き袋によれば、詰め替え時に内容物で注出口が閉塞されない。
【符号の説明】
【００３５】
１     詰め替えパウチ
１ａ、１ｂ    壁面フィルム
２     シール領域
３     ノズル
４     底面フィルム
５     底面フィルム折り返し部
６     ガゼット
７     指つまみ部
８     切り取り線
８ａ   切り取り線シール領域部分
８ｂ   切り取り線非シール領域部分
８ｍ   極大点
９     注出口
１０   ネジ口容器
１１   内容物
１２   ノズル部の中心線
１３   ノズル部の基部
１５   切り取り線の始点と終点とを結ぶ直線
１６   立体加工線
Ｓ     切り取り線の始点
Ｅ     切り取り線の終点
Ｍ，Ｎ 切り取り線が切れる力の方向
【図１】
2018008723.tif 000003
【図２】
2018008723.tif 000004
【図３】
2018008723.tif 000005
【図４】
2018008723.tif 000006
【図５】
2018008723.tif 000007
【図６】
2018008723.tif 000008